(57)【要約】【課題】鏡を見ながら器具を使い舌苔の除去作業する際に、舌と器具との当接部を見易くすることを目的とする。【解決手段】細長状の柄部１５と、該柄部１５の先端に設けた舌苔掻取片１１とを含む、次に示す舌苔除去具１０を提供する。すなわち、この舌苔除去具１０は、柄部１５の中間部ｃから後端ｄまでの柄後部１７が、舌苔掻取片１１の掻取作用部１２を下に向ける使用時の姿勢として、柄部１５の先端ａから中間部ｃまでの柄先部１６に対し、中間部ｃでの屈曲により後ろ斜め上方へ延びていることを特徴としている。【選択図】        図１
2006314594.tif 000002
【特許請求の範囲】
【請求項１】
細長状の柄部と該柄部の先端に設けた舌苔掻取部とを含む舌苔掻取具において、
前記舌苔掻取部の掻取作用部を下に向ける使用時の姿勢として、前記柄部の先端から中間部までの柄先部に対し、前記柄部の中間部から後端までの柄後部が、該中間部での屈曲により後ろ斜め上方へ延びていることを特徴とする舌苔掻取具。
【請求項２】
前記柄先部と平行に測るときの前記舌苔掻取部の先端から前記柄部の中間部までの長さが３０〜８０ｍｍである請求項１記載の舌苔掻取具。
【請求項３】
前記柄先部の後方延長線に対して前記柄後部がなす角度が４０〜９０度である請求項１又は２記載の舌苔掻取具。
【請求項４】
前記舌苔掻取部は片状をなす舌苔掻取片であり、前記掻取作用部は前記舌苔掻取片の片先端であり、前記柄先部の先方延長線に対して前記片先端がなす角度が４５〜８５度である請求項１、２又は３記載の舌苔掻取具。
【請求項５】
前記柄部の後端に、指が掛かる指掛部を設けた請求項１、２、３又は４記載の舌苔掻取具。
【請求項６】
前記柄後部と垂直に測るときの前記柄部の後端から前記指掛部の先端までの長さが１５〜５０ｍｍである請求項５記載の舌苔掻取具。
【発明の詳細な説明】
【技術分野】
【０００１】
舌の表面の繊毛についた微細な埃や食品糟からなる舌苔を除去するための器具に関する。
【背景技術】
【０００２】
この種の器具の中には、図５に示す従来例の舌苔除去具９０のように、細長状の柄部９５と該柄部９５の先端に設けた舌苔掻取部９１とからなるものがある。この舌苔除去具９０は、舌苔掻取部９１の掻取作用部９２を下に向ける使用時の姿勢として、柄部９５が先端から後端まで略水平方向に直線状に延びている。
【特許文献１】特開平０９−２９４６８８公報
【発明の開示】
【発明が解決しようとする課題】
【０００３】
しかし、このように、柄部９５が直線状に延びていると、柄部９５を手２５で握り、手鏡３０を見ながら掻取作用部９２を舌２１に当接させ舌苔の除去作業を行う際、手２５が視界を遮り、舌２１と掻取作用部９２との当接部が見え難くなるといった問題が発生する。
【０００４】
そこで、鏡を見ながら器具を使い舌苔の除去作業する際に、舌と器具との当接部を見易くすることを目的とする。
【課題を解決するための手段】
【０００５】
上記目的を達成するため、本発明の舌苔除去具は、細長状の柄部と該柄部の先端に設けた舌苔掻取部とを含む舌苔掻取具において、前記舌苔掻取部の掻取作用部を下に向ける使用時の姿勢として、前記柄部の先端から中間部までの柄先部に対し、前記柄部の中間部から後端までの柄後部が、該中間部での屈曲により後ろ斜め上方へ延びていることを特徴とする。
【０００６】
前記舌苔除去具の材質は、特に限定されないが、各種金属、及び各種樹脂を例示する。
【０００７】
前記舌苔除去具の寸法形状は、特に限定されないが、各構成要素の長さ及び角度が次の（１）〜（４）の数値範囲であることが好ましい。
【０００８】
（１）前記柄先部と垂直に測るときの前記舌苔掻取部の先端から前記柄先部の先端までの長さが１０〜４０ｍｍであることが好ましい。なお、該長さは、１５〜３５ｍｍであることがより好ましく、２０〜３０ｍｍであることが最も好ましい。該長さは、大きい程、舌と掻取作用部との当接部が柄先部の陰になり難くなる一方、大き過ぎても邪魔になり、作業がし難くなるからである。
【０００９】
（２）前記柄先部と平行に測るときの前記舌苔掻取部の先端から前記柄部の中間部までの長さが３０〜８０ｍｍであることが好ましい。なお、該長さは、４０〜７０ｍｍであることがより好ましく、５０〜６０ｍｍであることが最も好ましい。該長さは、長い程、柄後部を把持する手で視界が遮られ難くなる一方、長過ぎると作業が困難になるからである。
【００１０】
（３）長さ方向に計るときの前記柄部の中間部から後端までの長さが５０〜１１０ｍｍであることが好ましい。なお、該長さは、６０〜１００ｍｍであることがより好ましく、７０〜９０ｍｍであることが最も好ましい。該長さは、短過ぎると持ち難くなる一方、長過ぎても作業する際に邪魔になるからである。
【００１１】
（４）前記柄先部の後方延長線に対して前記柄後部がなす角度が、４０〜９０度であることが好ましい。なお、該角度４５〜８０度であることがより好ましく、５０〜７０度であることが最も好ましい。該角度は、大きい程、柄後部を把持する手で視界が遮られ難くなる一方、長過ぎると作業が困難になるからである。
【００１２】
また、前記舌苔掻取部は、特に限定されないが、片状をなす舌苔掻取片であり、前記掻取作用部は前記舌苔掻取片の片先端であり、前記柄先部の先方延長線に対して前記片先端がなす角度が４５〜８５度であることが好ましい。なお、該角度５０〜８０度であることがより好ましく、５５〜７５度であることが最も好ましい。該角度は、直角に近くする程、掻取作用部を舌に強く当接させ易くなる一方、直角から傾かせることによって、舌苔を掻き取る際にスライドさせ易くなるからである。
【００１３】
また、前記舌苔除去具は、特に限定されないが、前記柄部の後端に、指が掛かる指掛部を設けていることが好ましい。
【００１４】
このとき、前記柄後部と垂直に測るときの前記柄部の後端から前記指掛部の先端までの長さが１５〜５０ｍｍであることが好ましい。なお、該長さは、２０〜４５ｍｍであることがより好ましく、２５〜４０ｍｍであることが最も好ましい。該長さは、長い程、引っ掛かけ易くなる一方、長過ぎても作業する際に邪魔になるからである。
【発明の効果】
【００１５】
本発明によれば、舌苔の除去作業をする際、柄後部が舌の斜め上方へ向かって延びるため、該柄後部を握った手が鏡の前に現れ視界を遮るといったことがなくなる。そのため、舌と該舌苔除去具との当接部を見易くすることができる。
【発明を実施するための最良の形態】
【００１６】
本発明の舌苔除去具１０は、細長状の柄部１５と該柄部１５の先端に設けた舌苔掻取片１１とを含み構成されている。該舌苔除去具１０は、舌苔掻取片１１の掻取作用部１２を下に向ける使用時の姿勢として、柄部１５の先端ａから中間部ｃまでの柄先部１６に対し、柄部１５の中間部ｃから後端ｄまでの柄後部１７が、中間部ｃでの屈曲により後ろ斜め上方へ延びている。
【実施例１】
【００１７】
本発明の図１〜図３に示す実施例の舌苔除去具１０は、細長状の柄部１５と、該柄部１５の先端ｂから延びる舌苔掻取部としての舌苔掻取片１１と、柄部１５の後端ｄから延びる指掛部１９とを含み構成されている。
【００１８】
該舌苔除去具１０は、一枚の先端部分が広がったステンレス板Ｓが、曲げ加工されることにより形成されている。このステンレス板Ｓは、長さが１５０〜１９０ｍｍ、厚さ１．５〜２．５ｍｍで、幅が最小個所で４〜７ｍｍ、最大個所で１５〜２５ｍｍとなっている。
【００１９】
舌苔掻取片１１は、ステンレス板Ｓの片状をなす先端部分が、舌苔を集め易いように、中央部に向かうに従って軽く窪むように曲げられ形成されている。そして、この舌苔掻取片１１の先端ａは、掻取作用部１２となっている。舌苔掻取片１１の寸法は、柄部１５の先端側の柄先部１６と垂直に測るときの舌苔掻取片１１の先端ａから柄先部１６の先端ｂまでの長さＬ１が、２０〜２５ｍｍとなっている。また、舌苔掻取片１１の最大個所での幅Ｗ１は、１５〜２５ｍｍとなっている。
【００２０】
掻取作用部１２は、実際に舌２１に当接し舌苔を掻き取るための部分であり、幅方向に直線状にカットされた形状となっている。この掻取作用部１２の傾きは、柄先部１６の先方延長線に対して舌苔掻取片１１の先端ａがなす角度Ａ２が、６０〜７０度となっている。
【００２１】
柄部１５は、柄部１５の先端ｂから中間部ｃまでの柄先部１６と、該中間部ｃから後端ｄまでの柄後部１７とを含み構成されている。
【００２２】
柄先部１６は、舌苔掻取片１１と協働して、柄部１５の中間部ｃから口２０側に掻取作用部１２を突出させるための部分であり、該柄先部１６は、使用時にその延出方向が地面に対し略水平になるように形成されている。柄先部１６と舌苔掻取片１１との寸法は、柄先部１６と平行に測るときの舌苔掻取片１１の先端ａから柄部１５の中間部ｃまでの長さＬ２が、５０〜５５ｍｍとなっている。
【００２３】
柄後部１７は、作業する際、手２５で把持するための部分であり、舌苔掻取片１１の掻取作用部１２を下に向ける使用時の姿勢として、柄部１５の先端から中間部ｃまでの柄先部１６に対し、該中間部ｃでの屈曲により後ろ斜め上方へ延びている。柄後部１７の長さは、長さ方向に測るときの柄部１５の中間部ｃから後端ｄまでの長さＬ３が、７５〜８５ｍｍとなっている。また、柄後部１７の傾きは、柄先部１６の後方延長線に対して柄後部１７がなす角度Ａ１が、５５〜６５度となっている。
【００２４】
指掛部１９は、指が引っ掛かることにより舌苔除去具１０が手２５から滑り落ちるのを防止するための部分であり、柄部１５の後端ｄから反り返り、該指掛部１９の先端ｅでの傾きは柄先部１６に対し略平行になっている。指掛部１９の寸法は、柄後部と垂直に測るときの柄部１５の後端ｄから指掛部１９の先端ｅまでの長さＬ４が、３０〜３５ｍｍとなっている。
【００２５】
なお、柄部１５と指掛部１９との幅は、柄先部１６の先端ｂから指掛部１９の先端ｅに向かうに従って徐々に大きくなっており、柄先部１６の先端ｂでの幅Ｗ２が４〜７ｍｍで、指掛部１９の先端ｅでの幅Ｗ３が１１〜１５ｍｍとなっている。
【００２６】
以上に示した舌苔除去具１０を使って、舌苔を除去する際の様子を以下に示す。柄後部１７を利き手２５で握り、反対の手２６に手鏡３０を持つ。そして、手鏡３０を見ながら、掻取作用部１２を舌２１の上面に当接させ、擦り合わせることにより、舌苔の除去を行う。
【００２７】
本実施例によれば、舌苔の除去作業をする際、柄後部１７が舌２１の斜め上方へ向かって延びるため、柄後部１７を握った手２５が手鏡３０の前に現れ視界を遮るといったことがなくなる。そのため、舌２１と掻取作用部１２との当接部が見易くなり、作業効率が上がる他、ケガ等のないように使用することができる。
【００２８】
また、舌苔除去具１０は、寸法が充分に大きく、且つ指掛部１９を備えているため、該舌苔除去具１０が誤って腔内に落ち込んでしまう心配はない。
【００２９】
なお、本発明は前記実施例に限定されるものではなく、発明の趣旨から逸脱しない範囲で適宜変更して具体化することもでき、例えば、図４に示す舌苔除去具４０ように、掻取作用部４２の形状を丸くしてもよい。また、舌苔掻取片１１自体をブラシ等の舌苔掻取部に替えてもよい。
【図面の簡単な説明】
【００３０】
【図１】本発明の実施例の舌苔除去具を示す全体斜視図である。
【図２】同実施例の舌苔除去具を示す（ａ）は正面図、（ｂ）は側面図であ。
【図３】同実施例の舌苔除去具を使用した際の様子を示す側面図である。
【図４】同実施例の変更例を示す全体斜視図である。
【図５】従来例の舌苔除去具を使用した際の様子を示す側面図である。
【符号の説明】
【００３１】
１０    舌苔除去具
１１    舌苔掻取部としての舌苔掻取片
１２    掻取作用部
１５    柄部
１６    柄先部
１７    柄後部
１９    指掛部
ａ    舌苔掻取片（部）の先端
ｂ    柄部の先端
ｃ    柄部の中間部
ｄ    柄部の後端
ｅ    指掛部の先端
Ｌ２    柄先部と平行に測るときの舌苔掻取部の先端から柄部の中間部までの長さ
Ｌ４    柄後部と垂直に測るときの柄部の後端から指掛部の先端までの長さ
Ａ１    柄先部の後方延長線に対して柄後部がなす角度
Ａ２    柄先部の先方延長線に対して片先端がなす角度
【図１】
2006314594.tif 000003
【図２】
2006314594.tif 000004
【図３】
2006314594.tif 000005
【図４】
2006314594.tif 000006
【図５】
2006314594.tif 000007